(57)【要約】  収容部（９）、収容部（９）上に載置された主切断刃（３５）、主キャップ（５３）、収容部（９）に載置されていると共にトリミングエッジ（７５、Ｃ）を備えるトリミング部材（７３）、収容部（９）に設けられていると共にトリミング・ガードバーエッジ（Ｄ）を備えるトリミング・ガードバー（７７）を備えるシェービング刃カートリッジに関する。トリミング・ガードバーエッジ（９１、Ｄ）付近のトリミング・ガードバー（７７）に対する接線、トリミングエッジ（７５、Ｃ）、及びトリミング・ガードバーエッジ（９１、Ｄ）は、トリミング・ガードバー（７７）からみて凹形の理論的限界トリミング曲線（ＴＬＴＣ）を画定する。トリミング・ガードバー（７７）は理論的限界トリミング曲線（ＴＬＴＣ）の後に配置されて及び／又は理論的限界トリミング曲線（ＴＬＴＣ）に接して配置される。そうすると、トリミング・ガードバー（７７）は理論的限界トリミング曲線（ＴＬＴＣ）を越えて突出しない。
2017531543.tif 000002
【特許請求の範囲】
【請求項１】
-上面（１１）と上面（１１）の反対側の底面（１３）とを有すると共に長手方向軸（Ｘ‐Ｘ）に沿って延在し、且つ第１及び第２の長手方向面（１５、１７）がそれぞれ前記上面及び前記底面（１５、１７）の間において前記長手方向軸（Ｘ‐Ｘ）に沿って長手方向に延在する収容部（９）と、
-前記第１及び第２の長手方向面（１５、１７）の間の前記収容部上に載置されていると共に、切断エッジ（４１）を有する主切断刃（３５）と、
-前記切断エッジ（４１）の後方に位置する主キャップ（５３）と、
-前記収容部（９）上に載置されていると共にトリミングエッジ（７５、Ｃ）を備えるトリミング部材（７３）であって、前記トリミングエッジ（７５、Ｃ）は前記切断エッジ（４１）に対向するトリミング部材（７３）と、
-前記収容部（９）に設けられていると共に、前記トリミングエッジ（７５、Ｃ）の前方へ位置し、且つトリミング・ガードバーエッジ（Ｄ）を備えるトリミング・ガードバー（７７）と、
を備え、
前記トリミングエッジ（７５、Ｃ）と、前記トリミング・ガードバーエッジ（９１、Ｄ）と、前記トリミング・ガードバーエッジ（９１、Ｄ）付近の前記トリミング・ガードバー（７７）の接線とが、前記トリミング・ガードバー（７７）から見て凹である理論的限界トリミング曲線（ＴＬＴＣ）を画定しており、
前記トリミング・ガードバー（７７）は前記第２の長手方向面（１７）に向けられて理論的限界トリミング曲線（ＴＬＴＣ）の後に配置され、及び／又は前記第２の長手方向面（１７）に向けられて理論的限界トリミング曲線（ＴＬＴＣ）に接して配置され、前記トリミング・ガードバー（７７）は前記第２の長手方向面（１７）の方向の反対側の方向において、理論的限界トリミングカーブ（ＴＬＴＣ）を越えて突出しない、シェービング刃カートリッジ（１）。
【請求項２】
前記主キャップ（５３）が第２の長手方向面（１７）に向けられて理論的限界トリミング曲線（ＴＬＴＣ）の後に位置する、請求項１に記載のシェービング刃カートリッジ（１）。
【請求項３】
前記理論的限界トリミング曲線（ＴＬＴＣ）が５％〜２０％の間の前記トリミング・ガードバーエッジ（９１、Ｄ）からの距離に沿って前記トリミング・ガードバーエッジ（９１、Ｄ）の付近（ＶＡ）で前記トリミング・ガードバーに接する、請求項１又は請求項２に記載のシェービング刃カートリッジ（１）。
【請求項４】
前記トリミング・ガードバー（７７）は湾曲外面（７９）に設けられており、前記湾曲外面（７９）が使用者の皮膚を面することになり、前記湾曲外面（７９）は３ミリメートルと８ミリメートルの間の曲率を有する、請求項１〜３の何れか一項に記載のシェービング刃カートリッジ（１）。
【請求項５】
前記湾曲外面（７９）が、６ミリメートルと８ミリメートルとの間の曲率を有する、請求項４に記載のシェービング刃カートリッジ（１）。
【請求項６】
前記理論的限界トリミング曲線（ＴＬＴＣ）が円又は楕円の一部である、請求項１〜５の何れかに一項に記載のシェービング刃カートリッジ（１）。
【請求項７】
前記理論的限界トリミング曲線（ＴＬＴＣ）の曲率が６ミリメートルと８ミリメートルとの間に含まれる、請求項６に記載のシェービング刃カートリッジ（１）。
【請求項８】
前記トリミング部材（７３）がトリミング・刃支持部（８３）及びトリミング刃（８１）を備え、前記トリミング刃（８１）が前記トリミングエッジ（７５）を含み、前記トリミング刃（８１）が前記トリミング・刃支持部（８３）により支持されている、請求項１〜７の何れかに一項に記載のシェービング刃カートリッジ（１）。
【請求項９】
前記収容部（９）上に刃を保持している２つの保持具（８５、８７）を更に備える、請求項１〜８の何れかに一項に記載のシェービング刃カートリッジ（１）。
【請求項１０】
前記トリミング・ガードバー（７７）は、フィン（７８）を有する、請求項１〜９の何れかに一項に記載のシェービング刃カートリッジ（１）。
【請求項１１】
前記トリミング・ガードバー（７７）が滑らかな表面を備える、請求項１〜９の何れかに一項に記載のシェービング刃カートリッジ（１）。
【請求項１２】
前記トリミング・ガードバー（７７）は湾曲しており、約７．３〜約７．８ミリメートルの範囲内の半径を有し、前記理論的限界トリミング曲線（ＴＬＴＣ）は理論的な円（ＴＣ）の一部であり、前記理論的な円（ＴＣ）のセンターは前記トリミング・ガードバーエッジ（７５）から第２の長手方向面（１７）の方へ横軸（Ｙ-Ｙ）に沿って約７．３と約７．７ミリメートルとの間に、且つ前記トリミング・ガードバーエッジ（９１、Ｄ）から前記上面（１１）の方へ横軸（Ｚ-Ｚ）に沿って約０．８と１．２ミリメートル（ｍｍ）との間に位置する、請求項１〜１１の何れかに一項に記載のシェービング刃カートリッジ（１）。
【請求項１３】
前記トリミング・ガードバー（７７）は湾曲しており、約７ミリメートルの半径（Ｒ）を有し、   前記理論的限界トリミング曲線（ＴＬＴＣ）は理論的な円（ＴＣ）の一部であり、
前記理論的な円（ＴＣ）のセンターは前記トリミング・ガードバーエッジから第２の長手方向面（１７）の方へ横軸（Ｙ-Ｙ）に沿って約６．５と約７ミリメートル（ｍｍ）との間に、前記トリミング・ガードバーエッジ（９１）から前記上面（１１）の方へ横軸（Ｚ―Ｚ）に沿って約１．５と２ミリメートル（ｍｍ）との間に位置している、請求項１〜１１の何れかに一項に記載のシェービング刃カートリッジ（１）。
【請求項１４】
前記トリミング部材（７３）が前記収容部（９）と前記主キャップ（５３）との間に挟まれている、請求項１〜１３の何れかに一項に記載のシェービング刃カートリッジ（１）。
【請求項１５】
ハンドル（７）と、請求項１〜１４のいずれか一項に記載のシェービング刃カートリッジ（１）であって前記ハンドル（７）に連結されているシェービング刃カートリッジ（１）とを備えるシェーバ。
【発明の詳細な説明】
【技術分野】
【０００１】
本発明はシェービング刃カートリッジ、及びそのようなシェービング刃カートリッジを備えるシェーバに関する。
【０００２】
より具体的に、本発明は、シェービング刃カートリッジの設計、より詳しくはシェービング刃カートリッジの背後のトリミング部材の設計に関する。本発明に係るシェービング刃カートリッジによれば、シュービング刃カートリッジの設計限界を克服するシェービング曲線という着想を導入して、より良好なシェービング、及びトリミング精度を提供できる。
【０００３】
トリミング刃又はトリミング部材により、鼻の下、耳付近及び同様の皮膚領域等、隣接の突出する顔の輪郭により制限された皮膚領域のより良好なシェービングが可能となる。このように、トリミングシェービングは、特に、トリミング部材で隣接すると共に突出している顔輪郭により制限された皮膚領域を剃ることである。トリミングシェービングは、正確なシェービングを可能にする。
【背景技術】
【０００４】
国際公開第２００５／０１１９３０号には、トリミング組立て（trimming assembly）を備えたシェービング刃カートリッジが開示されている。より詳しくは、図１は、トリミング組立てを備える国際公開第２００５／０１１９３０号のシェービング刃カートリッジを例示する。トリミング組立てには、刃先（blade edge）を有するトリミング刃が具備されている。シェービング刃カートリッジは、トリミング・ガードバー及びトリミング・キャップを備えている。トリミング・ガードバー及びトリミング・キャップは、トリミング平面ｔ２を定める。このトリミング平面ｔ２は、トリミング・ガードバー及びトリミング・キャップに接する。換言すれば、このトリミング平面ｔ２は、トリミングエッジの前の隣に及び後ろの隣にあるシェービング刃カートリッジの皮膚接触表面に接する。皮膚に接触するパーツは、（トリミング・ガードバーの表面に対応する）前置表面及び（トリミング・キャップの表面に対応する）後置表面である。しかしながら、トリミング組立ての配置は、正確なシェービング・トリミング及び特に使用者の皮膚を正確にたどるシェービング・トリミングを許容しない。
【先行技術文献】
【特許文献】
【０００５】
【特許文献１】国際公開第２００５／０１１９３０号
【発明の概要】
【発明が解決しようとする課題】
【０００６】
本発明は、上記の欠点を緩和することを目的とする。本発明に係るシェービング刃カートリッジの製造は、特に、ガードバー及びキャップを組み込んだ設計を伴わずにより単純であり、シェービング・トリミング品質を向上させる。
【課題を解決するための手段】
【０００７】
この目的に、本発明に係るシェービング刃カートリッジによれば、トリミング部材の近くにおけるシェービング曲線を画定できる。より詳しくは、本シェービング・カートリッジは、いかなる後置表面（trailing surface）、又はいかなる前置表面（leading surface）を備えていない。後置表面（trailing surface）及び前置表面（leading surface）が存在しないため、シェービング刃カートリッジを有する使用者がシェービング・トリミング平面の代わりにトリミング曲線による動きを有するトリミング部材（より正確には、トリミング刃）を使用できる。トリミング曲線は、異なる曲率又は半径であることができ、トリミング刃が用いられる皮膚領域をたどることを可能にする。例えば、シェービング刃カートリッジの形状は、使用者が各使用者そして各皮膚領域曲率に依存する複数のトリミング曲線に応じてトリミング刃を使用できる。
【０００８】
換言すれば、シェービング刃カートリッジの形状は、理論的限界トリミング曲線を画定できる。使用者が使用できるトリミング曲線は、曲線の範囲内である。曲線範囲の最低限のトリミング曲線は、理論的限界トリミング曲線により画定される。これは、理論的限界トリミング曲線が、トリミングのときに使用者に存在するすべての考えられるトリマー曲線から、ガードバー、トリミングエッジ及びトリミング・ガードバーエッジの上に置かれる境界により画定されることを意味する。「トリミング・ガードバーエッジ」という用語は、トリミング・ガードバーの末端又はトリミング・ガードバーの末端に位置する表面であるとして略される。トリミング・ガードバーエッジが、必ずしも鋭い端（sharp edge）である必要はない。
【０００９】
本発明の実施形態における他の特徴及び効果は、非限定的な実施形態として開示されていると共に、添付の図面に示される幾つかの実施形態の以下の説明から、直ちに現れる。
【図面の簡単な説明】
【００１０】
【図１】従来技術に属するシェービング刃カートリッジの断面図である。
【図２】本発明の一実施形態に係るシェーバの斜視図である。
【図３ａ】図２のシェーバのシェービング刃カートリッジの断面図である。
【図３ｂ】負のトリミング刃位置を有するトリミング刃を備える本発明の一実施形態に係るシェーバ刃カートリッジの断面図である。
【図４】図３ａのシェービング刃カートリッジの斜視図の分解図である。
【図５】図３ａにおいて、図示されるシェービング刃カートリッジの側面図である。
【図６ａ】図３ａにおいて、示されているシェービング刃カートリッジ側面図である。
【図６ｂ】図３ａにおいて、示されているシェービング刃カートリッジ側面図である。
【図６ｃ】図３ａにおいて、示されているシェービング刃カートリッジの上面図である。
【図７】異なるトリミング曲線が表された図３ａのシェービング刃カートリッジの詳細図である。
【図８】本発明に係るシェーバを使用している使用者の概略図である。
【図９】フィンを有するトリミング・ガードバーを備える本発明のシェービング刃カートリッジの一実施形態である。
【図１０】一実施形態に係るシェービング刃カートリッジの詳細な側面図である。
【図１１】一実施形態により表されるトリミング曲線を有するシェービング刃カートリッジの詳細な側面図である。
【図１２】他の実施形態に係るシェービング刃カートリッジの詳細な側面図である。
【図１３】他の実施形態により表されるトリミング曲線を有するシェービング刃カートリッジの詳細な側面図である。
【発明を実施するための形態】
【００１１】
異なる図において、同じ参照符号は、同一又は類似の要素を示す。
【００１２】
図２は、本発明に係るシェービング刃カートリッジ１を備える湿式のカミソリ３を示す。シェービング刃カートリッジ１は、図２において図示されているように、湿式のカミソリ３を形成するようにハンドル７に取り付けられるのに適している。図３ａ、図３ｂ、図４、図５、図６ａ、図６ｂ、図６ｃ、図１０及び図１２において図示されているように、シェービング刃カートリッジ１は、一つ以上の主切断刃５を備えている。主切断刃５は、シェービング刃カートリッジ１と関連して、モーターにより駆動されない。
【００１３】
図２において見られるように、シェービング刃カートリッジ１は近位部分Ｐｐと遠位部分Ｄｐの間でハンドル方向において、延在するハンドル７に取り付けられることが可能である。ハンドル７は、シェービング刃カートリッジ１に対して旋回できる。ハンドルは休止位置からシェービング刃カートリッジ１に対して旋回できる。そこにおいて、ハンドルは２つの反対方向の方へ制約がない。他の実施形態では、ハンドルは、１つの唯一の方向の方へ休止位置から旋回できる。ハンドル７は、（図３において示されている）旋回軸Ｐ'周辺でシェービング刃カートリッジ１に対して旋回できる。他の実施態様において、ハンドル７は、シェービング刃カートリッジ１に対して固定することもできる。ハンドル方向は、カーブするか又は１つあるいは複数の直線部を含むことができる。シェービング刃カートリッジ１は、以下において、詳細に説明されているように、例えば、ロック及び解放機構（lock-and-release）を介してハンドル７に取り外し可能に連結され得る。
【００１４】
例えばハンドルを回すことによって、使用者はシェービング刃カートリッジ１の方向を変えることができる。
【００１５】
図示されるように、シェービング刃カートリッジ１は収容部９を備える。収容部９は、長手方向軸Ｘ−Ｘに沿って延びる。上部から見るとみて、収容部９は矩形の一般的な形状を有する。しかしながら、実施形態によっては、収容部９の一般的な形状は異なってもよい。例えば、収容部９は卵円形状（oval shape）、正方形形状又は円形形状を有することができる。収容部９は、上面１１と、上面１１の反対側の底面１３と、第１長手方向面１５と第２長手方向面１７とを備えている。例えば、底面１３はハンドル７の前に配列されるのに適しており、上面１１は底面１３の反対側に配置される。上面１１及び底面１３は、各々と平行していることができる。
【００１６】
図２において最もよく見られるように、第１長手方向面１５は長手方向軸Ｘ−Ｘに沿って延びる。第２長手方向面１７及び第１長手方向面１５は、互いに対面している。特に、第１長手方向面１５及び第２長手方向面１７が平坦なときに、第２長手方向面１７は第１長手方向面１５とほぼ平行でもよい。しかしながら、第１及び第２の長手方向面１５、１７は、微妙に又は顕著に対向する傾斜を有することもできる。第１及び第２の長手方向面１５、１７は、湾曲面を有することもできる。第２長手方向面１７も、長手方向軸Ｘ−Ｘに沿って延びる。上面１１と収容部９の底面１３との間に、第１長手方向面１５及び第２長手方向面１７はそれぞれ、横軸Ｚ−Ｚに沿って横方向の方向Ｚに延びる。横軸Ｚ−Ｚは、長手方向軸Ｘ−Ｘを横切る。例えば、長手方向軸Ｘ−Ｘ及び横軸Ｚ−Ｚは、各々に対して直交できる。
【００１７】
図２及び６ａ、６ｂ、６ｃにおいて最もよく見られるように、収容部９は、横軸Ｙ−Ｙに沿って、第１及び第２の長手方向面１５、１７の間に延在する第１及び第２の横方向面１９、２１を備えることもできる。横軸Ｙ−Ｙは、長手方向軸Ｘ−Ｘに対する横断線である。横軸Ｙ−Ｙは、例えば、長手方向軸Ｘ−Ｘ及び横軸Ｚ−Ｚと直交する。第１及び第２の横方向の側１９、２１は、上面１１と底面１３の間において、横方向の方向Ｚに配列される。第１及び第２の横方向面及び長手方向面１５、１７、１９、２１は、一緒に収容部９の外面を形成する。
【００１８】
第１及び第２の横方向面１９、２１は、両方とも第１及び第２の長手方向面１５、１７の長手方向端２３、２５と結合する。同様に、第１及び第２の長手方向面１５、１７は、両方とも第１及び第２の横方向面１９、２１の自由端２７、２９と結合する。収容部９は、プラスチック材料を備えることができる。しかし、他の材料が、用いられることが可能である。例えば、収容部は、金属性材料を備えることができる。さらに、収容部は、２つ以上の異なる材料の組合せにより製造されることができる。例えば、収容部の一部は第１の材料において、製造されることができるが、収容部の他の部分は第２の材料により製造されることができる。
【００１９】
例えば、収容部９は底面１３にハンドル７に連結するのに適している連結機構３１を含むことができる。このように、連結機構３１によって、ハンドル７からシェービング刃カートリッジ１を取り外す及び／又はハンドル７にシェービング刃カートリッジ１を取り付けることができる。
【００２０】
図３、図３ｂ及び図４において表すように、収容部９も、刃収容部３３を備える。刃収容部３３又は刃収容領域は、上面図からみて一般的に矩形形状を有することができる。刃収容部３３は、収容部９の上面１１に配置される。刃収容部３３は、凹部を画定して、少なくとも一つの主切断刃３５を受けるのに適している。換言すれば、シェービング刃カートリッジ１は、少なくとも一つの主切断刃３５を備える。主切断刃３５は、第１及び第２の長手方向面１５、１７の間の収容部に載置され、切断エッジ４１を有する。
【００２１】
図３ａ、図３ｂ、図４、図５、図６ｂ、図６ｃ及び図９に表されているように、シェービング刃カートリッジ１は５つの主切断刃を備える。しかしながら、本発明に係るシェービング刃カートリッジ１は、５つより多くの主切断刃３５又は５つ未満の主切断刃３５を備えることができる。例えば、シェービング刃カートリッジ１は、３つの主切断刃又は４つの主切断刃を備えることができる。
【００２２】
主切断刃３５は、収容部９の第１及び第２の長手方向面１５、１７の間に、そして、収容部９の第１及び第２の横方向面１９、２１の間の刃収容部３３内の収容部９に取り付けられる。図３ａ、図３ｂ、図４、図５、図６ｂ、図６ｃ及び図９に示すように、各主切断刃３５は、切断刃軸に沿って長手方向に延びる。例えば、切断刃軸Ｃ−Ｃは、長手方向軸Ｘ−Ｘと平行である。各主切断刃３５は、長手方向軸Ｘ−Ｘに沿って第１及び第２の端３７、３９を備えており、第１の長手方向面１５に向けられる。主切断刃３５の第１端部３７は収容部９の第１の横方向面１９に向けられ、主切断刃３５の第２端部３９は収容部９の第２の横方向面２１に向けられる。各主切断刃３５には、切断エッジ４１が具備されている。切断エッジ４１は、切断刃軸Ｃ−Ｃに沿って延びる。主切断刃３５の切断エッジ４１は、「メイン」シェービング又は「初期」シェービングの間、毛を切るために、収容部９の上面１１で利用できる。
【００２３】
例えば、図２及び図１０において図示されているように、主切断刃３５は例えばＬ字状である。このように、主切断刃３５は、切断エッジ部分４３、前置部分４５、切断エッジ部分４３及び前置部分４５の中間にある屈曲部４７を有する。主切断エッジ部分４３は、切断エッジ部分軸に沿って延びる。有利に、全ての切断刃３５の切断エッジ部分の軸は、互いに平行に位置される。
【００２４】
各主切断刃３５は、収容部９に自由に取り付けられることが可能である。より正確に言うと、主切断刃３５は、刃収容部３３内に移動可能に取り付けられる。例えば、各主切断刃３５は２本の弾性のフィンガーで支えられる。弾性があるフィンガー は、収容部９と一体的に鋳造されることができ、各々の方へ且つ収容部９の両方の横方向面１９、２１から上向きに刃収容部３３において、延在できる。図３ａ、図３ｂ、図６ｂ、図９に示すように、主切断刃３５の前置部分４５は、収容部９において、設けられたスロット４９において、摺動しながら導かれる。例えば、主切断刃３５は、前置部分４５及び屈曲部４７を備える刃支持部５１上に取り付けられる切断エッジ４１を備えることができる。この場合、刃支持部５１は、弾性フィンガーにより保持される。
【００２５】
しかしながら、幾つかの実施形態において、（図に示されない）主切断刃は、例えば国際公開第２０１３／０５０６０６号に記載されているように、屈曲刃又は湾曲刃でありえる。
【００２６】
本発明によれば、シェービング刃カートリッジ１には、主キャップ５３が具備されている。主キャップ５３は、切断エッジ４１の後方に位置する。主キャップ５３は、第１の長手方向面１５の方へ位置する。シェービング刃カートリッジ１には、主ガード５５が具備されている。主ガード５５は、切断エッジ４１の前方に位置する。主ガード５５は、第２の長手方向面１７に向けられて位置する。
【００２７】
図３ａ、図３ｂ、図９において図示されるように、主キャップ５３は後部要素５７上に設けられている。しかしながら、主キャップ５３は、当業者に知られているいずれかの方法によって配置されることができる。
【００２８】
後部要素（rear element）５７は、２本のアーム５９、６１を有するＴー形状を有することができる。第１のアーム５９は、第２のアーム６１を横断して延びる。より正確には、第２のアーム６１は、第１のアーム５９の延在の方向に対して直交する方向に沿って延びる。第１のアーム５９の端部は、第２のアーム６１の中間の部分に固定される。
【００２９】
後部要素５７は、第１及び第２の自由端６３、６５の間において、長手方向軸Ｘ−Ｘに沿って延びることができる。例えば、後部要素５７の第１の自由端６３は主切断刃３５の第１端部３７に向けられて位置し、後部要素５７の第２の自由端６５は主切断刃３５の第２端部３９に向けられて位置する。後部要素５７の長さは、長手方向軸Ｘ−Ｘに沿って収容部９の長さより小さい。
【００３０】
好ましくは、第２のアーム６１は主キャップ５３を備えている。例えば、主キャップ５３は、「メイン」シェービングの間に使用される潤滑ストリップ（lubricating strip）を備えている。第２のアーム６１は、収容部９の外側に延びる。第２のアーム６１は、収容部９の上面１１上に延びる。
【００３１】
より詳しくは、第２のアーム６１は収容部９の外側に延びて、収容部９の外面、例えば連続表面である収容部９の上面１１の形をなすことができる。
【００３２】
第１のアーム５９は、収容部において圧入されることができる。第１のアーム５９は、それから、凹部６７と協動する脚５９を備える。凹部６７は、主切断刃３５と第１の長手方向面１５の間に位置する。より正確に言うと、第１のアーム５９は複数の脚５９'を備える。そして、各脚５９が専用の凹部６７と協動する。図４及び図５において示されているように、第１のアーム５９は収容部９において、設けられたる凹部６７に圧入される４本の脚５９'を備える。例えば、凹部６７の数は、少なくとも２つであることができ、好ましくは４つである。１本の脚５９'及び１つの凹部６７は、一対のプレスフィットを形成する。各脚５９は、１つの対応する凹部６７と嵌合する。このように、４つのプレスフィット対が形成される。そして、それは収容部９内への後部要素５７の保持圧力の増加を可能にする。他の実施形態において、より少ないプレスフィット対又はより多くのプレスフィット対が設けられていることができる。例えば、第１の脚は３本の脚だけを備えることができる。そして、３本の脚の各々が１つの専用の凹部と協動する。代替の実施形態では、脚が収容部に設けられており、凹部は後部要素に設けられていることができる。第１のアーム５９は、収容部にはめ込まれたスナップ（snap fitted）であることもできる。
【００３３】
トリミング部材７３は、カミソリ３でトリミングシェービングを可能にするために、例えば後部要素５７と収容部９との間に位置する。トリミング部材７３は、後部要素５７と収容部９との間に挟まれていることがあることができる。より詳しくは、後部要素５７及び収容部は、トリミング部材７３が延びていると共に、収容部９に嵌合されている後部要素５７により固定された凹部又はスロット７４を画定する。トリミング部材７３は、長手方向軸Ｘ−Ｘに沿って延びることができる。
【００３４】
トリミング部材７３は、トリミングエッジ（trimming edge）７５を備えている。トリミングエッジ７５及び主切断刃３５の切断エッジ（trimming edge）４１は対向する。換言すれば、トリミングエッジ７５及び切断エッジ４１は、反対方向に向かって位置する。例えば、トリミングエッジ７５は収容部９の底面１３に向けられ、切断エッジは収容部９の上面１１の向こうへ向けられる。
【００３５】
トリミング部材７３には、トリミング刃８１が具備されている。トリミング部材７３は、主切断刃３５と類似していることができる。例えば、トリミング部材７３は、主切断刃３５と同じ形状を有することができる。
【００３６】
可能な実施形態において、トリミング刃８１は他の形状又は主切断刃３５と別の寸法を有することができる。それは、特により短い刃長を有することができる。トリミング刃により、鼻の下、耳付近及び同様の皮膚領域等、隣接の突出している顔だちにより制限された皮膚領域をより有効に剃ることができるこのように、トリミングシェービングは、特に、トリミング部材で隣接の突出している顔だちにより制限された皮膚領域を剃ることである。トリミングシェービングは、正確なシェービングを可能にする。
【００３７】
トリミング部材７３は、トリミング・刃支持部８３とトリミング刃８１とを具備している。トリミング刃８１はトリミングエッジ７５を備える。そして、トリミング刃８１はトリミング・刃支持部８３により支持される。トリミング・刃支持部８３は、後部要素５７及び収容部９により画定されるスロット７４において延びる。例えば、トリミング・刃支持部８３は後部要素５７の収容部９内へのスナップフィットで収容部９に固定される。トリミング・刃支持部８３は、このように後部要素５７と収容部との間に挟まれている。
【００３８】
トリミング刃８１は、保持具（retainer）８５によって、収容部９に保持されることもできる。トリミング刃８１は、２つの保持具８５、８７によって、収容部９に保持されることもできる。例えば、（図４に、図５、又は図６ｃにおいて、示されている）保持具８５、８７は、主切断刃３５及びトリミング部材７３の一方を、又は主切断刃３５及びトリミング部材７３の両方を保持できる。
【００３９】
トリミング部材７３は、例えば国際公開第２０１３／０５０６０６号に記載されているように、屈曲刃（bent blade）又は湾曲刃（curved blade）でありえる。
【００４０】
トリミング刃８１は、トリミング軸に沿って延びる。トリミング軸は、長手方向軸Ｘ−Ｘと一致できる。
【００４１】
収容部上に設けられている要素又は収容部９の一部は、トリミングエッジ７５の前方に位置する。収容部９は、トリミング・ガードバー７７を備えている。
【００４２】
トリミング・ガードバー７７は、トリミングエッジ７５の前方に位置する。トリミング・ガードバー７７は、トリミングエッジ７５に向けて位置する前置表面（leading surface）を備えることができる。
【００４３】
トリミング・ガードバー７７は、湾曲外面７９（例えば、図７）を備えていることができる。湾曲外面７９は、使用者の皮膚を面することになる。湾曲外面７９は、３ｍｍ（ミリメートル）と８ｍｍとの間にある曲率（curvature）を有することができる。例えば、曲率は、６ｍｍ（ミリメートル）及び８ｍｍでありえる。例えば、湾曲外面７９は、７．５ｍｍ、７．５９ｍｍ又は７．００ｍｍの曲率を有することができる。
【００４４】
図９に示されているように、トリミング・ガードバー７７は突起又はフィン７８を備えていることができる。トリミング・ガードバー７７は、いかなる突出（突起又は溝）を有しないこともできる。トリミング・ガードバーは、滑らかな表面を備えていることができる。トリミング・ガードバーは、湾曲することができない。
【００４５】
トリミング・ガードバー７７は、トリミング・ガードバーエッジ９１を備えている。トリミング・ガードバーエッジ９１は、トリミング・ガードバー７７の頂点でありえる。トリミング・ガードバーエッジ９１は、トリミングエッジ７５に向けられたトリミング・ガードバー７７のエッジでありえる。トリミング・ガードバーエッジ９１は、図３において示されている矢Ｆによる方向の方へ（換言すれば、収容部９の反対側にある方向において、）最も突出するトリミング・ガードバー７７のエッジでありえる。トリミング・ガードバーエッジ９１は、上面１１の方の横軸Ｚ−Ｚによってトリミング・ガードバー７７の最も高いポイントであるトリミング・ガードバー７７のエッジでありえる。主切断刃３５がトリミング・ガードバー７７（例えば、図３ａ、図３ｂ、図５、図６ｂ、図９を参照）の右側にあると考えるときに、トリミング・ガードバーエッジ９１はトリミング・ガードバーの最も左の先端（left-most point）である。シェービング刃カートリッジ１がハンドル７に対して移動可能である場合、トリミング・ガードバー７７が突起を備えるときに、それはトリミング・ガードバーエッジ９１が旋回軸Ｐから最も遠くに位置するトリミング・ガードバー７７の位置にあることを意味する（図９を参照）。シェービング刃カートリッジがハンドル７に対して移動可能でない場合、トリミング・ガードバーエッジ９１は横軸Ｙ−Ｙに沿って第２の長手方向面１７から最も遠くに位置するトリミング・ガードバー７７上の位置にある。
【００４６】
図３ａにおいて図示されているように、トリミングエッジ７５は「＋」位置を有することができる。トリミングエッジ７５は、「−」位置（図３ｂを参照）を有することもできる。換言すれば、トリミングエッジは、トリミング・ガードバー７７の一方の側上に、又はトリミング・ガードバー７７に対して他方の側上にあることができる。図３ａにおいて図示されているように、トリミングエッジ７５は第２の長手方向面１７の方向の反対側に方向に向けられてトリミング・ガードバー７７に対して突出できる。換言すれば、トリミングエッジ７５は、トリミング・ガードバーエッジ９１の前へ（図３ａの矢Ｆに沿って）突出する。図３ａは、トリミング・ガードバーエッジ９１を通過するＺ軸と平行する平面を示す。この図においてトリミング・刃エッジは＋位置を有する。すなわち、トリミング・刃エッジ７５はトリミング・ガードバーエッジ９１を通過するＺ軸と平行する平面Ｐの左側にある。換言すれば、トリミング・刃エッジ７５はトリミング・ガードバーエッジ９１を通過するＺ軸と平行する平面Ｐの一方側に位置し、収容部９は他方側に位置する。この場合、トリミング刃８１は、「＋」位置を有する。例えば、図３ｂにおいて図示されているように、トリミングエッジ７５はトリミング・ガードバー７７の後に配置されることもできる。換言すれば、トリミングエッジ７５は、トリミング・ガードバーエッジ９１の前に（図３の矢Ｆに沿って）突出しない。トリミングエッジ７５は、トリミング・ガードバーエッジ９１の後にある。図３ｂは、トリミング・ガードバーエッジ９１を通過するＺ軸と平行する平面を示す。この図において、トリミング・刃エッジは−位置を有する。すなわち、トリミング・刃エッジ７５はトリミング・ガードバーエッジ９１を通過するＺ軸と平行する平面Ｐの右側にある。換言すれば、トリミング・刃エッジ７５は、収容部９よりトリミング・ガードバーエッジ９１を通過するＺ軸と平行する平面Ｐの同じ側上にある。この場合、トリミング刃は、「−」位置を有する。
【００４７】
本発明によれば、トリミング刃７３のための後置表面が収容部９に設けられていない。
【００４８】
トリミングの間、図８において図示されるように、トリミングがトリミングされる皮膚領域に対応する曲線ＳＣを沿って行われるように、使用者は本発明のシェーバを正しい位置に置くことができる。図８は、シェービング刃カートリッジ１を使用している使用者を示す。トリミングされる領域に応じて、使用者は、正確にトリミングするために曲線に従わなければならない。
【００４９】
トリミング曲線ＳＣは、トリミングエッジ７５である第１の位置Ｃを通過する。トリミング曲線ＳＣは、また、トリミング・ガードバー７７の最も高い先端である第２の位置Ｄをも通過する。換言すれば、第２の位置Ｄは、トリミング・ガードバーエッジ９１に対応する。前置表面及び後置表面を有しないので、このようなシェービング刃カートリッジを有する使用者が図８において、図示されように、皮膚に合うトリミング曲線に沿った動きをするトリミング部材（そして、より正確にはトリミング刃）を使用できる。更に詳細に、トリミング刃７３のための後置表面を有しないので、使用者が必要な精度でいかなる（いかなる半径の）顔皮曲線（faceskin curve）に容易に沿うことができる。
【００５０】
図７、図１０、図１１、図１２、図１３において、図示されるように、トリミング曲線ＳＣは２点Ｃ及びＤを通過しているいかなる曲線として画定される。３つのシェービングカーブＳＣｉ｛ｉ＝ｌ，２…ｎ｝が、図７において、挙げられている。シェーバのトリミング能力を高めるために、弧Ｃ−Ｄが皮膚の湾曲（curvature）に沿うことができる。シェービング刃カートリッジ１の形状、特にトリミングエッジ７３、及びトリミング・ガードバー７７の配列の形状によって、理論的限界トリミング曲線ＴＬＴＣが画定されることができる。
【００５１】
理論的限界トリミング曲線ＴＬＴＣの形状及び位置は、以下に依存できる：
-点Ｃ及び点Ｄの位置
-（トリミング・ガードバーが湾曲している場合は）トリミング・ガードバー７７の半径、（トリミング・ガードバーが湾曲している場合は）トリミング・ガードバー７７の中心
【００５２】
理論的限界トリミング曲線ＴＬＴＣは、使用者が使用できる最低限のトリミング曲線ＳＣに対応する。理論的限界曲線ＴＬＴＣは、制限されると共にカートリッジ自体の形状により画定されて、且つトリミング曲線ＳＣの物理的な境界線を表す。使用者が使用できる最大トリミング曲線は、ゼロ曲率を有しない。
【００５３】
（点Ｃ及び点Ｄを通過する）理論的限界トリミング曲線ＴＬＴＣがトリミング・ガードバーを囲む（換言すれば、トリミング・ガードバーは、トリミング・ガードバーからみて凹状である理論的限界トリミング曲線の内側にある）ように、トリミング・ガードバー７７は設計される。トリミング・ガードバー７７は、底面１３に向けられてトリミング・ガードバーエッジ９１から離れつつ傾斜する。トリミング・ガードバー７７は、第２の長手方向面１７に向けられて且つ底面１３に向けられてトリミング・ガードバーエッジ９１から離れつつ傾斜する。
【００５４】
トリミング・ガードバー７７には、トリミング・ガードバーエッジ９１の近くに、すなわちトリミング・ガードバーエッジ９１からの短い距離に領域が具備されている。「トリミング・ガードバーエッジの近く」という用語で設計された領域は、トリミング・ガードバーエッジ９１から５％と２０％との間のトリミング・ガードバーエッジ９１からの距離まで、例えば横軸Ｚ−Ｚに沿ってトリミング・ガードバー７７と直交して突出された長さの１０％まで延在する領域のように理解されることができる。
【００５５】
より詳しくは、理論的限界トリミング曲線ＴＬＴＣは、トリミング・ガードバー７７に例えばトリミング・ガードバーエッジ９１の近くに接触できる。このように、すべてのトリミング曲線は、位置Ｃ及びＤを通過して、トリミング・ガードバー７７を囲む。図１０、図１１、図１２、図１３に最も見られるように、トリミング曲線ＳＣは円又は楕円の一部であることができ、トリミング・ガードバー７７は円又は楕円内に取り囲まれている。トリミングされる皮膚領域の形状に応じて、円又は楕円は異なる中心を有することができる。トリミング曲線ＳＣから、トリミング・ガードバー７７周辺にある円又は楕円を画定することは可能である。トリミング・ガードバー７７は、円又は楕円により包囲される。ガードバーの形状に関係なく、すなわちそれがバンプ、空腔又は溝又は他の突起形状を有するか又は滑らかな表面であるかに関係なく、トリミング曲線ＳＣ（及びトリミング曲線により画定される円又は楕円）はその周辺部内のトリミング・ガードバー７７の幾何学的構造を囲む。換言すれば、トリミング・ガードバーは、理論的限界トリミング曲線、このようにいかなるトリミング曲線ＳＣにより画定される楕円又は円から外側に突出しない。
【００５６】
例えば図１０において、図示されているように、トリミング・ガードバーの半径（Ｒ）は、少なくともトリミング・ガードバーエッジ９１の付近において、Ｒが約７．３と約７．８との間、例えばＲが約７．５９ｍｍである。図１０は、理論的限界トリミング曲線ＴＬＴＣ及び可能なトリミング曲線を示す。
【００５７】
シェービング刃カートリッジ１は、一般的な正方形の形状を有することができ、以下の寸法を有することができる：
-横軸Ｙ−Ｙにおける（トリミング・ガードバーエッジから第１の長手方向面１５まで）幅  ほぼ１６ｍｍ又は１５ｍｍ程度、例えば１５，３７ｍｍ、
-長手方向軸Ｘ−Ｘにおける（第１及び第２の横方向面１９、２１の間）長さ  ほぼ４３又は４４ｍ程度ｍ、例えば４３，６ｍｍ、
-横軸Ｚ−Ｚにおける（底面から上面まで）高さ  ５ミリメートルと６ミリメートルと間、例えば５，３５ｍｍ、
【００５８】
トリミング・ガードバーエッジ９１は、横軸Ｚ−Ｚに沿って、収容部９の上面１１から３ｍｍと４ｍｍの間の距離に位置できる。トリミングエッジ７５は、横軸Ｙ−Ｙに沿ってトリミング・ガードバーエッジ９１から略０．１１ｍｍ離れたところに、また横軸Ｚ−Ｚに沿って略０．４１ｍｍ離れたところに位置できる。
【００５９】
トリミング・ガードバーエッジ９１及びトリミングエッジ７５の相対的な位置は、上で開示されたものと異なることができる。さらに、シェービング刃カートリッジ１の収容部９の寸法は、上で開示されたものと異なることであることもできる。
【００６０】
図１０において、例えばトリミング・ガードバー７７はかなり湾曲しており、７，５９ｍｍの曲率を有する。理論的限界トリミング曲線ＴＬＴＣにより画定される理論的な円ＴＣ（図１１を参照）の中心は、トリミング・ガードバーエッジ９１から第２の長手方向面１７の方へ横軸Ｙ−Ｙに沿って約７．３と約７．７とミリメートルの間に、トリミング・ガードバーエッジ９１から上面１１の方へ横軸Ｚ−Ｚに沿って約０．８と１．２ミリメートル（ｍｍ）との間に位置している。例えば、理論的限界トリミング曲線ＴＬＴＣにより画定される理論的な円ＴＣ（図１１を参照）の中心はトリミング・ガードバーエッジから第２の長手方向面１７の方へ横軸Ｙ−Ｙに沿って７，５２ミリメータ（ｍｍ）の位置に、トリミング・ガードバーエッジ９１から上面１１の方へ横軸Ｚ−Ｚに沿って１，００ミリメータ（ｍｍ）の位置に配置され得る。トリミング曲線ＳＣは、理論的限界トリミング曲線ＴＬＴＣの外側にあるいかなる曲線であることができ、又は理論的限界トリミング曲線ＴＬＴＣと一致できる。図１０は、可能なトリミング曲線ＳＣを表す。図１１は、図１０に図示されている理論的限界トリミング曲線、及び理論的限界トリミング曲線ＴＬＴＣにより画定された理論的な円ＴＣだけではなく、トリミング曲線により画定される楕円Ｅ、及び（理論的な円の外側で配置される）トリミング曲線ＳＣも表す。
【００６１】
図１２及び図１３は、トリミング曲線ＳＣ及び理論的限界トリミング曲線ＴＬＴＣの他の実施形態を示す。この例では、トリミング・ガードバー７７は、かなりカーブして、約７ミリメートルの半径Ｒを有する。理論的限界トリミング曲線ＴＬＴＣにより画定される理論的な円ＴＣの中心は、トリミング・ガードバーエッジからの第２の長手方向面１７（矢Ｇ）の方へ横軸Ｙ−Ｙに沿って約６．５と約７ミリメートル（ｍｍ）の間に、トリミング・ガードバーエッジ９１からの上面１１の方へ横軸Ｚ−Ｚに沿って約１．５と約２ミリメートル（ｍｍ）の間に配置される。例えば、理論的限界トリミング曲線ＴＬＴＣにより画定される理論的な円ＴＣの中心はトリミング・ガードバーエッジからの第２の長手方向面１７（矢Ｇ）の方へ横軸Ｙ−Ｙに沿って６，７８ミリメータ（ｍｍ）、トリミング・ガードバーエッジ９１からの上面１１の方へ横軸Ｚ−Ｚに沿って１，７４ミリメータ（ｍｍ）に位置する。トリミング曲線ＳＣは、理論的限界トリミング曲線ＴＬＴＣの外側に、又は理論的限界トリミング曲線上に位置するいかなる曲線でありえる。図１２は、可能なトリミング曲線ＳＣを表す。図１３は、図１２に示されている理論的限界トリミング曲線ＴＬＴＣ、理論的限界トリミング曲線により画定された理論的な円ＴＣ、（理論的な円の外側に位置する）トリミング曲線ＳＣ、トリミング曲線ＳＣにより画定される円又は楕円Ｅを表す。
【００６２】
本発明は、図１０、図１１、図１２、及び図１３の実施形態に限定されない。
【００６３】
シェービング刃カートリッジには、収容部が具備されている。収容部は、長手方向軸Ｘ−Ｘに沿って延びる。収容部は、上面を有する。収容部は、底面を有する。底面は、上面の反対側にある。収容部は、第１及び第２の長手方向面１５、１７を具備している。長手方向面のそれぞれは、上部と底面１１、１３の間において、長手方向軸Ｘ−Ｘに沿って長手方向に延びる。シェービング刃カートリッジには、主切断刃３５が具備されている。主切断刃３５は、第１及び第２の長手方向面１１、１３の間の収容部９上に載置あれる。主切断刃は、切断エッジ４１を有する。シェービング刃カートリッジには、主キャップ５３が具備されている。主キャップ５３は、切断エッジ４１の後方に位置する。シェービング刃カートリッジには、トリミング部材７３が具備されている。トリミング部材は、収容部９上に載置されている。トリミング部材には、トリミングエッジ７５が具備されている。トリミングエッジ及び切断エッジ４１は互いに対向する。シェービング刃カートリッジには、トリミング・ガードバーが具備されている。トリミング・ガードバーは、収容部上に設けられている。トリミング・ガードバーは、トリミングエッジ７５の前方にある。トリミング・ガードバーは、トリミング・ガードバーエッジＤを備える。シェービング刃カートリッジには、理論的限界トリミング曲線が具備されている。理論的限界トリミング曲線は、トリミングエッジ及びトリミング・ガードバーエッジを通過する。理論的限界トリミング曲線は、トリミング・ガードバーエッジの付近でトリミング・ガードバーに接する。トリミングエッジＣ、トリミング・ガードバーエッジＤ及びトリミング・ガードバーエッジＤの付近のトリミング・ガードバーの接線（tangent）は、トリミング・ガードバーから見て凹状である理論的限界トリミング曲線を画定する。トリミング・ガードバーは、第２の長手方向面１７に向けられて理論的限界トリミング曲線の後に配置されている。トリミング・ガードバーは、第２の長手方向面１７に向けられて理論的限界トリミング曲線に接して配置される。トリミング・ガードバーは、第２の長手方向面１７の方向の反対側の方向において、理論的限界トリミング曲線を越えて突出しない。
【００６４】
付加的な実施形態において、シェービング刃カートリッジは、収容部を備える。収容部は、長手方向軸Ｘ−Ｘに沿って延びる。収容部は、上面を有する。収容部は、底面を有する。底面は、上面の反対側にある。収容部は、第１及び第２の長手方向面１５、１７を具備している。長手方向面はそれぞれ、上部１１と底面１３との間において、長手方向軸Ｘ−Ｘに沿って長手方向に延びる。シェービング刃カートリッジには、主切断刃３５が具備されている。主切断刃３５は、第１及び第２の長手方向面１１、１３の間において、収容部９に載置されている。主切断刃は、切断エッジ４１を有する。シェービング刃カートリッジには、主キャップ５３が具備されている。主キャップ５３は、切断エッジ４１の後方に位置する。シェービング刃カートリッジには、トリミング部材７３が具備されている。トリミング部材は、収容部９上に載置されている。トリミング部材には、トリミングエッジ７５が具備されている。トリミングエッジ及び切断エッジ４１は、互いに対向する。シェービング刃カートリッジには、トリミング・ガードバーが具備されている。トリミング・ガードバーは、収容部上に設けられている。トリミング・ガードバーは、トリミングエッジ７５の前方にある。トリミング・ガードバーには、トリミング・ガードバーエッジＤが具備されている。トリミング・ガードバーは、トリミングエッジ及びトリミング・ガードバーエッジＤを通過する平面を横切らない。トリミング・ガードバーは、第２の長手方向面１７に向けられてトリミングエッジ及びトリミング・ガードバーエッジＤを通過する平面の後に位置する。
【００６５】
主キャップは、第２の長手方向面１７に向けられて理論的限界トリミング曲線の後にある。主キャップは、第２の長手方向面１７に向けられてトリミングエッジ及びトリミング・ガードバーエッジを通っている平面の後にある。
【００６６】
理論的限界トリミング曲線はトリミング・ガードバーエッジ９１の付近のガードバーに接しており、例えば、理論的限界トリミング曲線は５％と２０％との間のトリミング・ガードバーエッジから、例えば横軸Ｚ−Ｚに沿ってトリミング・ガードバーの突出長さの１０％までの距離に沿ってガードバーに接する。横軸Ｚ−Ｚ上のトリミング・ガードバー７７の突出長さは、横軸Ｚ上の垂直な突出である。トリミング・ガードバーエッジ９１の近く（付近）という用語により定義される領域は、図７、図１０、図１２において、参照符号Ｖａで示されている。
【００６７】
トリミング・ガードバーは、かなりカーブする。トリミング・ガードバーの曲率は、６ミリメートルと８ミリメートルとの間に含まれる。理論的限界トリミング曲線の曲率は、トリミング・ガードバーの曲率に等しい。
【００６８】
トリミング・ガードバーは、他の形状を有することもできる。理論的限界トリミング曲線は、一部の円又は楕円である。
【００６９】
上の説明において、理論的限界トリミング曲線は、トリミング・ガードバー、トリミング・ガードバーエッジ及びトリミングエッジに関して定められる。主キャップエッジは、主キャップの頂点でありえるキャップのエッジである。主キャップエッジは、主刃エッジの反対側に向けられた主キャップのエッジでありえる。主キャップエッジは、第２の長手方向面１７の反対側に方向において、最も突出する主キャップのエッジでありえる。主キャップエッジは、横軸Ｙ−Ｙにおいて、主キャップで最も高い位置である主キャップのエッジでありえる。主要なキャップエッジは、矢Ｆに沿って主キャップの最も左側の位置である。
【００７０】
ハウジングを備えるシェービング刃カートリッジ。収容部は、長手方向軸Ｘ−Ｘに沿って延びる。収容部は、上面を有する。収容部は、底面を有する。底面は、上面の反対側にある。収容部は、第１及び第２の長手方向面１５、１７を具備している。長手方向面はそれぞれ、上部と底面１１、１３の間において、長手方向軸Ｘ−Ｘに沿って長手方向に延びる。シェービング刃カートリッジには、主切断刃３５が具備されている。主切断刃３５は、第１及び第２の長手方向面１１、１３の間に、収容部９上に載置される。主切断刃は、切断エッジ４１を有する。シェービング刃カートリッジには、主キャップ５３が具備されている。主キャップ５３は、切断エッジ４１の後方に位置する。シェービング刃カートリッジには、トリミング部材７３が具備されている。トリミング部材は、収容部９上に載置される。トリミング部材には、トリミングエッジ７５が具備されている。トリミングエッジ及び切断エッジ４１は対向する。主キャップ５３には、主キャップエッジが具備されている。シェービング刃カートリッジには、理論的限界トリミング曲線が具備されている。理論的限界トリミング曲線は、主キャップを含む。理論的限界トリミング曲線は、主キャップエッジを含む。主キャップは、第２の長手方向面１７に向けられて理論的限界トリミング曲線の後に配置される。場合によっては、主キャップは、第２の長手方向面１７に向けられて理論的限界トリミング曲線に接して配置される。主キャップは、第２の長手方向面１７の方向の反対側の方向において、理論的限界トリミング曲線を越えて突出しない。
【００７１】
付加的でありえる実施形態において、シェービング刃カートリッジは、収容部を備える。収容部は、長手方向軸Ｘ−Ｘに沿って延びる。収容部は、上面を有する。収容部は、底面を有する。底面は、上面の反対側にある。収容部は、第１の長手方向面１５と、第２の長手方向面１７とを具備している。長手方向面はそれぞれ、上部１１と底面１３との間において、長手方向軸Ｘ−Ｘに沿って長手方向に延びる。シェービング刃カートリッジには、主切断刃３５が具備されている。主切断刃３５は、第１及び第２の長手方向面１１、１３の間において、収容部９上に載置される。主切断刃は、切断エッジ４１を有する。シェービング刃カートリッジには、主キャップ５３が具備されている。主キャップ５３は、切断エッジ４１の後方に位置する。シェービング刃カートリッジには、トリミング部材７３が具備されている。トリミング部材は、収容部９上に載置される。トリミング部材には、トリミングエッジ７５が具備されている。トリミングエッジ及び切断エッジ４１は、対向する。シェービング刃カートリッジは、トリミングエッジ後方の収容部と皮膚との接触により制限されないトリミングを可能にするように、トリミング刃エッジの後方に材料を有しないようになっている。主キャップ５３は、理論的限界トリミング曲線ＴＬＴＣを妨げない。理論的限界トリミング曲線ＴＬＴＣ、したがってトリミング曲線は、その周辺部内の主キャップ５３の幾何学構造を囲む。
【００７２】
収容部は、プラスチックからなることができる。刃（主切断刃及び／又はトリミング刃）は、おそらく、刃エッジ耐摩耗性を高めるために金属被覆されていることができる。（主及び／又はトリミング）刃は、２つのクリップによって、収容部において、保持されることができる。主刃は、移動可能でありえる。
【００７３】
当業者により理解されるように、明細書及び特許請求の範囲中において、用いられる「約」という言葉は、＋／−０．５ミリメートルの許容誤差を含む。
【００７４】
いくつかの実施形態では、当業者は、上述の特徴一つ以上を用いることができる。特定されない限り、これらの特徴は当業者に知られているいかなる方法によって、単独で又は組み合わせで用いられ得る。
【符号の説明】
【００７５】
１  シェービング刃カートリッジ
９  収容部
１１  上面
１３  底面
１５、１７  長手方向面
３５  主切断刃
４１  切断エッジ
５３  主キャップ
７５、Ｃ  トリミングエッジ
７３  トリミング部材
４１  切断エッジ
Ｄ  トリミング・ガードバーエッジ
７７  トリミング・ガードバー
ＴＬＴＣ  理論的限界トリミング曲線
【図１】
2017531543.tif 000003
【図２】
2017531543.tif 000004
【図３ａ】
2017531543.tif 000005
【図３ｂ】
2017531543.tif 000006
【図４】
2017531543.tif 000007
【図５】
2017531543.tif 000008
【図６ａ】
2017531543.tif 000009
【図６ｂ】
2017531543.tif 000010
【図６ｃ】
2017531543.tif 000011
【図７】
2017531543.tif 000012
【図８】
2017531543.tif 000013
【図９】
2017531543.tif 000014
【図１０】
2017531543.tif 000015
【図１１】
2017531543.tif 000016
【図１２】
2017531543.tif 000017
【図１３】
2017531543.tif 000018
【国際調査報告】
2017531543.tif 000019
2017531543.tif 000020